(57)【要約】【課題】    テレビの視聴中に、その視聴中の番組に関する情報を簡単かつ迅速に送信して、視聴に対する影響を最小限に抑えることのできる電子機器を実現すること。【解決手段】  ＣＰＵは、ＴＶ部を起動し、テレビ放送を受信してテレビ映像を表示部に表示させる。また、受信したテレビ放送からＥＰＧデータを抽出し、受信ＥＰＧデータ９２ｂとしてＲＡＭ９０に記憶させる。また、受信テレビデータ９２ａから番組ＩＤを取得して、視聴中番組ＩＤ９６としてＲＡＭ９０に記憶させる。ユーザによりメニュ画面に表示させているの「新規メール」が選択されると、視聴中番組ＩＤ９６と同じ番組ＩＤの番組情報を受信ＥＰＧデータ９２ｂから取得し、取得した番組情報を新規メール９４の本文３０６に記憶させる。【選択図】図５
2005184613.tif 000002
【特許請求の範囲】
【請求項１】
電子メールを送信可能であり、且つデジタルテレビ放送を受信可能な電子機器において、
受信中のデジタルテレビ放送の映像を表示するための制御を行う表示制御手段と、
この表示制御手段により表示制御されている映像の番組情報を、前記受信中のデジタルテレビ放送に含まれるＥＰＧデータの中から抽出する抽出手段と、
この抽出手段により抽出された番組情報を電子メールで所定の宛先に送信する制御を行うメール送信制御手段と、
を備えることを特徴とする電子機器。
【請求項２】
電子メールを送信可能であり、且つデジタルテレビ放送を受信可能な電子機器において、
受信中のデジタルテレビ放送の映像を表示するための制御を行う表示制御手段と、
前記表示制御手段により表示制御されている映像のチャンネルに対応するデータを、前記受信中のデジタルテレビ放送に含まれるデータ放送の中から抽出する抽出手段と、
この抽出手段により抽出された番組情報を電子メールで所定の宛先に送信する制御を行うメール送信制御手段と、
を備えることを特徴とする電子機器。
【請求項３】
前記表示制御手段により表示制御されている映像をキャプチャして画像データとして出力するキャプチャ手段を更に備え、
前記メール送信制御手段は、前記キャプチャ手段によりキャプチャされた画像データを前記電子メールの添付データとするメール添付手段を有する、
ことを特徴とする請求項１又は２に記載の電子機器。
【請求項４】
電子メールを送信可能であり、且つデジタルテレビ放送を受信可能なコンピュータに、
受信中のデジタルテレビ放送の映像を表示するための制御を行う表示制御機能と、
この表示制御機能により表示制御されている映像の番組情報を、前記受信中のデジタルテレビ放送に含まれるＥＰＧデータの中から抽出する抽出機能と、
この抽出機能により抽出された番組情報を電子メールで所定の宛先に送信する制御を行うメール送信制御機能と、
を実現させるためのプログラム。
【請求項５】
電子メールを送信可能であり、且つデジタルテレビ放送を受信可能なコンピュータに、
受信中のデジタルテレビ放送の映像を表示するための制御を行う表示制御機能と、
前記表示制御機能により表示制御されている映像のチャンネルに対応するデータを、前記受信中のデジタルテレビ放送に含まれるデータ放送の中から抽出する抽出機能と、
この抽出機能により抽出された番組情報を電子メールで所定の宛先に送信する制御を行うメール送信制御機能と、
を実現させるためのプログラム。
【発明の詳細な説明】
【技術分野】
【０００１】
電子メールを送信可能であり、且つデジタルテレビ放送を受信可能な電子機器等に関する。
【背景技術】
【０００２】
近年、地上波アナログ放送に代わり地上波デジタル放送が実用段階となり、地上波デジタル放送を受信してテレビ放送を表示する様々な電子機器が開発されている。地上波デジタル放送には、変調方式として複数の信号（電波）を多重化して送受信することが可能なＯＦＤＭ（Orthogonal Frequency Division Multiplexing：直交周波数分割多重方式）が利用されている。
【０００３】
このような複数の信号を多重化して送受信する技術により、ＥＰＧ（Electronic Program Guide：電子番組ガイド）データを含んだ地上波デジタル放送が放送されている。ＥＰＧデータは、現在放送中又は放送する予定の各番組の情報（以下、「番組情報」という。）で構成されており、１つの番組情報には、チャンネル、日付、開始時間、タイトル、内容等が含まれている。放送局は、定期的にＥＰＧデータを更新し、地上波デジタル放送に含めて放送している。尚、本明細書において番組とは、一のチャンネルでの放送単位（コンテンツの１単位）のことであり、例えば、ＮＨＫで７：００〜８：００の間に放送される１時間のニュース番組であれば、その１時間のニュース番組のことを１つの番組という。
【０００４】
地上波デジタル放送の受信装置を備えた電子機器は、受信した地上波デジタル放送からＥＰＧデータを抽出し、抽出したＥＰＧデータを基に番組表を作成し表示する。この作成された番組表を利用する技術として、ユーザにより設定された検索条件により、当該番組表から所望の番組の検索を行い、検索した番組のＥＰＧデータを電子メールで外部装置へ送信することのできるデジタル放送受信機が知られている（特許文献１参照）。
【特許文献１】特開２００１−２１１４０１号公報
【０００５】
また、地上波デジタル放送を受信可能な電子機器として、据え置き形のテレビの他、携帯電話機等についての開発も進められている。携帯電話機には主機能である通話機能の他、メール機能、手帳機能、デジタルカメラ機能等が搭載されているが、地上波デジタル放送の受信が可能となることにより、更なる多機能化が進むことが予想される。
【発明の開示】
【発明が解決しようとする課題】
【０００６】
ところで、ユーザがテレビを視聴中に、視聴している番組の出演者が知人の好みのタレントであったり、視聴している番組が知人の趣味に合致した内容であったりした場合には、ユーザは、当該番組が放送中であることをその知人に知らせることがあった。この場合、電話や電子メール（以下、単に「メール」とする。）等を用いて知らせることが一般的であった。しかし、例えば、上述した地上波デジタル放送の受信機能を備えた携帯電話機が実現された場合を想定すると次のような不具合が生じるおそれがある。すなわち、ユーザは、テレビ番組の視聴を一時中断して、メール作成や電話をする必要がある。メール作成や電話には一定の時間がかかるために、ユーザ自身のテレビ鑑賞を犠牲にする必要がある。ここで、特許文献１の技術を適用する方策が考えられるが、番組表内から視聴中の番組を検索・選択してメールを作成する作業は手間である。
【０００７】
本発明は、以上のような課題に鑑みて為されたものであり、その目的とするところは、テレビの視聴中に、その視聴中の番組に関する情報を簡単かつ迅速に送信して、視聴に対する影響を最小限に抑えることのできる電子機器を実現することである。
【課題を解決するための手段】
【０００８】
以上の課題を解決するために、請求項１に記載の発明は、
電子メールを送信可能であり、且つデジタルテレビ放送を受信可能な電子機器において、
受信中のデジタルテレビ放送の映像を表示するための制御を行う表示制御手段（例えば、図３のＣＰＵ１０、表示部２０；図７のステップＳ２５）と、
この表示制御手段により表示制御されている映像の番組情報を、前記受信中のデジタルテレビ放送に含まれるＥＰＧデータの中から抽出する抽出手段（例えば、図３のＣＰＵ１０；図９のステップＳ８３）と、
この抽出手段により抽出された番組情報を電子メールで所定の宛先に送信する制御を行うメール送信制御手段（例えば、図２のＣＰＵ１０、ＲＦブロック６０；図１０のステップＳ１１７）と、
を備えることを特徴としている。
【０００９】
また、請求項４に記載のプログラムは、
電子メールを送信可能であり、且つデジタルテレビ放送を受信可能なコンピュータに、
受信中のデジタルテレビ放送の映像を表示するための制御を行う表示制御機能（例えば、図３のＣＰＵ１０、表示部２０；図７のステップＳ２５）と、
この表示制御機能により表示制御されている映像の番組情報を、前記受信中のデジタルテレビ放送に含まれるＥＰＧデータの中から抽出する抽出機能（例えば、図３のＣＰＵ１０；図９のステップＳ８３）と、
この抽出機能により抽出された番組情報を電子メールで所定の宛先に送信する制御を行うメール送信制御機能（例えば、図２のＣＰＵ１０、ＲＦブロック６０；図１０のステップＳ１１７）と、
を実現させることを特徴としている。
【００１０】
請求項１又は４に記載の発明によれば、受信中のデジタルテレビ放送の映像を表示し、当該映像の番組情報をＥＰＧデータの中から抽出して、電子メールで所定の宛先に送信する電子機器が実現される。これにより、ユーザは、テレビの視聴を一時的に中断することなく、視聴中の映像の番組情報を簡単かつ迅速にメール送信することができる。従って、メール送信によるテレビの視聴に対する影響を最小限に抑えることができる。
【００１１】
請求項２に記載の発明は、
電子メールを送信可能であり、且つデジタルテレビ放送を受信可能な電子機器において、
受信中のデジタルテレビ放送の映像を表示するための制御を行う表示制御手段（例えば、図３のＣＰＵ１０、表示部２０）と、
前記表示制御手段により表示制御されている映像のチャンネルに対応するデータを、前記受信中のデジタルテレビ放送に含まれるデータ放送の中から抽出する抽出手段（例えば、図３のＣＰＵ１０）と、
この抽出手段により抽出された番組情報を電子メールで所定の宛先に送信する制御を行うメール送信制御手段（例えば、図２のＣＰＵ１０、ＲＦブロック６０）と、
を備えることを特徴としている。
【００１２】
請求項５に記載の発明は、
電子メールを送信可能であり、且つデジタルテレビ放送を受信可能なコンピュータに、
受信中のデジタルテレビ放送の映像を表示するための制御を行う表示制御機能（例えば、図３のＣＰＵ１０）と、
前記表示制御機能により表示制御されている映像のチャンネルに対応するデータを、前記受信中のデジタルテレビ放送に含まれるデータ放送の中から抽出する抽出機能（例えば、図３のＣＰＵ１０）と、
この抽出機能により抽出された番組情報を電子メールで所定の宛先に送信する制御を行うメール送信制御機能（例えば、図２のＣＰＵ１０）と、
を実現させることを特徴としている。
【００１３】
請求項２又は５に記載の発明によれば、受信中のデジタルテレビ放送の映像を表示し、当該映像のチャンネルに対応するデータをデジタルテレビ放送のデータ放送の中から抽出して、電子メールで所定の宛先に送信する電子機器が実現される。これにより、ユーザは、テレビの視聴を一時的に中断することなく、視聴中の映像のチャンネルに対応するデータを簡単かつ迅速にメール送信することができる。従って、メール送信によるテレビの視聴に対する影響を最小限に抑えることができる。
【００１４】
請求項３に記載の発明は、請求項１又は２に記載の発明において、
前記表示制御手段により表示制御されている映像をキャプチャして画像データとして出力するキャプチャ手段（例えば、図２のＣＰＵ１０；図９のステップＳ７５）を更に備え、
前記メール送信制御手段は、前記キャプチャ手段によりキャプチャされた画像データを前記電子メールの添付データとするメール添付手段（例えば、図２のＣＰＵ１０；図１０のステップＳ７７）を有する、
ことを特徴としている。
【００１５】
請求項３に記載の発明によれば、請求項１又は２に記載の発明と同様の効果が得られるのは無論のこと、表示制御されている映像の画像データを電子メールの添付データとする電子機器が実現される。
【発明の効果】
【００１６】
請求項１又は４に記載の発明によれば、受信中のデジタルテレビ放送の映像を表示し、当該映像の番組情報をＥＰＧデータの中から抽出して、電子メールで所定の宛先に送信する電子機器が実現される。これにより、ユーザは、テレビの視聴を一時的に中断することなく、視聴中の映像の番組情報を簡単かつ迅速にメール送信することができる。従って、メール送信によるテレビの視聴に対する影響を最小限に抑えることができる。
【００１７】
請求項２又は５に記載の発明によれば、受信中のデジタルテレビ放送の映像を表示し、当該映像のチャンネルに対応するデータをデジタルテレビ放送のデータ放送の中から抽出して、電子メールで所定の宛先に送信する電子機器が実現される。これにより、ユーザは、テレビの視聴を一時的に中断することなく、視聴中の映像のチャンネルに対応するデータを簡単かつ迅速にメール送信することができる。従って、メール送信によるテレビの視聴に対する影響を最小限に抑えることができる。
【００１８】
請求項３に記載の発明によれば、表示制御されている映像の画像データを電子メールの添付データとする電子機器が実現される。
【発明を実施するための最良の形態】
【００１９】
以下、本発明の電子機器を携帯電話機１に適用した場合の実施形態について図１〜図１４を参照して詳細に説明する。
【００２０】
図１は、本実施形態の概要を表す図である。同図のように、携帯電話機１は、放送局ＢＣから放送される地上波デジタル放送１００（以下、「テレビ放送」１００という。）を受信可能に構成されている。テレビ放送１００には、放送の内容そのもののデータであるテレビデータ１０２の他にＥＰＧデータ１０４が含まれており、それぞれ規格化されている。
【００２１】
テレビデータ１０２は、番組ＩＤ、映像データ及び音声データを有して構成され、随時更新されて放送（送信）されている。番組ＩＤは、番組毎に固有に割り振られた識別番号である。ＥＰＧデータ１０４は、それぞれの番組の番組情報を含んで構成されている。例えば、同図におけるＥＰＧデータ１０４には、“１９：００”から始まる「ＰＯＰ１０」という番組の番組情報と、“１９：３９”から始まる「地球の不思議」という番組の番組情報とが含まれている。「ＰＯＰ１０」という番組の番組情報には、チャンネル「１０ｃｈ」、開始時刻「１９：００」、録画時刻「３０分」、内容「出演者：田中次郎・・・」が含まれている。
【００２２】
携帯電話機１は、受信したテレビ放送１００からテレビデータ１０２を抽出して、当該テレビデータ１０２に従って映像及び音声を出力したり、テレビ放送１００からＥＰＧデータ１０４を抽出して、当該ＥＰＧデータ１０４に従って番組表を表示したりする。
【００２３】
図２は、携帯電話機１の外観図である。同図によれば、携帯電話機１はディスプレイ３と、入力スイッチ群５と、電話用スピーカ５０ａと、マイク４０と、外部スピーカ５０ｂと、通信用アンテナ６２と、ＴＶ用アンテナ７９とを備えて構成される。
【００２４】
ディスプレイ３は、バックライト付きのカラーＬＣＤ（Liquid Crystal Display）やＥＬＤ（Electronic Luminescent Display）で構成され、携帯電話機１の操作に係る各種情報やテレビ映像等を表示する。
【００２５】
入力スイッチ群５は、数字スイッチの他に、メニュスイッチ５ａ、ＴＶスイッチ５ｂ、カーソルスイッチ５ｃ、決定スイッチ５ｄ、クリアスイッチ５ｅ、オフフックスイッチ５ｆ、オンフックスイッチ５ｇ及び送信スイッチ５ｈを備えて構成される。
【００２６】
各数字スイッチには、“０”〜“９”の数字と、平仮名と、英字とが対応づけられている。ユーザは、所定の操作により数字モード、仮名モード及び英字モードの何れかの入力モードに切り替えて、各文字の入力（以下、文字の入力のことを「データ入力」という。）を行う。例えば、“１”には、「か行」の平仮名５文字と、英字の「Ａ」〜「Ｃ」とが対応づけられている。仮名モードのときは、数字スイッチを押下する回数に応じて、「か」〜「こ」の平仮名が選択され、また、英字モードのときは、「Ａ」〜「Ｃ」の英字が選択される。
【００２７】
メニュスイッチ５ａは、メニュ画面Ｗ１を表示させるためのスイッチである。カーソルスイッチ５ｃは、画面のスクロールや選択操作を行うためのスイッチであり、上下左右の４方向を検出可能に構成される。ユーザは、メニュ画面Ｗ１に表示された項目や設定内容をカーソルスイッチ５ｃによって選択・変更し、決定スイッチ５ｄを押下（オン）することによって携帯電話機１に係る設定内容を決定して、各種設定を行う。
【００２８】
ＴＶスイッチ５ｂは、ＴＶ機能を実行させるためのスイッチである。クリアスイッチ５ｅは、入力内容をクリアしたり、画面状態を直前の画面に戻したりするためのスイッチである。オフフックスイッチ５ｆは、入力された電話番号への発信や、着信時に通話を開始させるためのスイッチであり、オンフックスイッチ５ｇは、通話を終了させるためのスイッチである。また、オンフックスイッチ５ｇは、携帯電話機１の電源スイッチとしても機能し、所定時間（例えば、３秒）押下され続けると、携帯電話機１の電源の投入／遮断（オン／オフ）の切り替えが行われる。また、オンフックスイッチ５ｇが押下（オン）されて携帯電話機１の電源が投入されると、本実施形態に係る基本処理が実行される。
【００２９】
図３は、携帯電話機１の機能構成の一例を示すブロック図である。同図によれば、携帯電話機１は、ＣＰＵ１０と、表示ドライバ２２によって制御される表示部２０と、入力部３０と、マイク４０と、スピーカ５０と、通信用アンテナ６２によって通話信号の送受信やデータ通信を行うＲＦブロック６０と、ＴＶ部７０と、フラッシュＲＯＭ（Read Only Memory）８０と、ＲＡＭ（Random Access Memory）９０とを備えて構成される。
【００３０】
ＣＰＵ１０は、入力される指示に応じて所定のプログラムに基づいた処理を実行し、各機能部への指示やデータの入出力を行う。具体的には、ＣＰＵ１０は、入力部３０から入力される押下信号に応じてフラッシュＲＯＭ８０に格納されたプログラムを読み出し、当該プログラムに従って処理を実行する。そして、処理結果を表示するための表示制御信号を表示ドライバ２２に出力して、当該表示制御信号に従った処理結果を表示部２０に表示させる。
【００３１】
尚、画像や音声の信号処理用にＤＳＰ（Digital Signal Processor）を具備する構成としてもよい。その場合、本実施形態におけるＣＰＵ１０と、ＤＳＰとを同一のＬＳＩパッケージに組み込み、一体の回路として構成することとしてもよいし、ＣＰＵ１０がＤＳＰとしての機能をソフトウェア的に実現することとしてもよい。具体的に、ＤＳＰとは、デジタル信号処理用プロセッサのことであり、音声信号や映像信号を符号化して音声データや映像データを生成したり、逆に符号化された音声データや映像データを復号して音声信号や映像信号を抽出したりする。
【００３２】
表示ドライバ２２は、ＣＰＵ１０から入力される表示制御信号に基づいて表示部２０を制御して各種画面を表示させたり、映像復号部７５から入力される映像信号に基づいてテレビ映像を表示させたりするものである。表示部２０は、携帯電話機１の各種画面やテレビ映像等を表示するための表示装置であり、ＬＣＤやＥＬＤ等で構成される。尚、この表示部２０は図１に示すディスプレイ３に相当するものである。
【００３３】
入力部３０は、プログラムの実行や、各種情報等の入力に必要なスイッチ群を備えた入力装置であり、ユーザによって押下されたスイッチの押下信号をＣＰＵ１０に出力する。尚、この入力部３０は、図２に示す入力スイッチ群５に相当するものである。
【００３４】
マイク４０は、Ａ／Ｄ変換部を備えており、ユーザの送話音声をＡ／Ｄ変換し、送話音声データとしてＣＰＵ１０に出力する。
【００３５】
スピーカ５０は、Ｄ／Ａ変換部を備えており、ＣＰＵ１０から入力される音声信号や、着信音、操作確認音等の音声データをＤ／Ａ変換して音声出力する。また、音声復号部７７から入力される音声信号に基づいて音声出力する。尚、スピーカ５０は、図２に示す電話用スピーカ５０ａと外部スピーカ５０ｂとに相当するものである。
【００３６】
ＲＦブロック６０は、ＣＰＵ１０から入力される指示に基づき、通信用アンテナ６２を介して無線通信網上の無線基地局との間で無線通信を行う回路部であり、ＣＰＵ１０と協働することによって通話制御部と、メール送受信部との機能部が実現される。
【００３７】
通話制御部は、着呼を示す信号を受信すると、着信音を外部スピーカ５０ｂから出力させる。また、発呼指示（オフフックスイッチ５ｆのオン）が入力されると、入力された電話番号への発信を行い、無線基地局との間で無線通信回線を形成する。また、通話状態時に、受信した音声信号に基づく音声信号を増幅及び復調して電話用スピーカ５０ａに出力するとともに、マイク４０に入力された音声信号に基づく音声データを無線基地局へ無線送信する（この音声データの送受信を「通話処理」という。）。
【００３８】
メール送受信部は、ＲＦブロック６０により通話制御部と排他制御される機能部であり、文字データや画像データ等を含むメールデータを送受信する。具体的には、無線通信網上のメールサーバからメールデータの配信を示す信号を受信すると、メールデータの受信を行い、受信したメールデータを表示部２０に出力する。また、ユーザにより作成されたメールデータをメールサーバへ無線送信する。
【００３９】
ここで送受信される信号は、音声信号やデータ信号を送受信するための無線信号であり、無線信号の変復調方式としては、ＰＤＣ（Personal Digital Cellular）方式、ＣＤＭＡ（Code Division Multiple Access）方式、ＧＳＭ（Global System for Mobile communication）方式等の各種公知技術の何れを利用することとしてもよい。
【００４０】
ＴＶ部７０は、テレビ放送１００を受信するための回路ブロックである。ＴＶ部７０は、ＴＶ用アンテナ７９を介してテレビ放送１００を受信するＴＶチューナ部７１と、ＯＦＤＭ復調部７３と、映像復号部７５と、音声復号部７７とを備えて構成される。
【００４１】
ＴＶチューナ部７１は、ＴＶ用アンテナ７９を同調させることによって、ユーザに指定されたチャンネルに対応する周波数の信号を受信し、ＯＦＤＭ復調部７３に出力する回路部である。先ず、ユーザにより放送局が選局されると、ＴＶチューナ部７１は、選局された放送局のチャンネルに対応する周波数に同調することでＴＶ用アンテナ７９によって当該チャンネルに対応する信号を受信する。そして、受信した信号（ＯＦＤＭ変調信号）を、ＯＦＤＭ復調部７３に出力する。
【００４２】
ＯＦＤＭ復調部７３は、ＴＶチューナ部７１から出力されたＯＦＤＭ変調信号を復調し、ＣＰＵ１０、映像復号部７５及び音声復号部７７に出力する回路部である。ＯＦＤＭ変調信号を復調する方法は公知であるが、簡単に説明すると、ＯＦＤＭ復調部７３は、ＴＶチューナ部７１から入力されたＯＦＤＭ変調信号をＡ／Ｄ変換し、変換したデジタル信号に対して、同調処理、ＦＦＴ演算（Fast Fourier Transform）、誤り訂正処理を実行することによりＴＳ（Transport Stream：トランスポート・ストリーム）を抽出する。そして、抽出したＴＳからテレビデータ１０２とＥＰＧデータ１０４とを分離した後、テレビデータ１０２を受信テレビデータ９２ａとして、ＥＰＧデータ１０４を受信ＥＰＧデータ９２ｂとしてＲＡＭ９０へ格納させて随時更新させる。
【００４３】
映像復号部７５は、ＲＡＭ９０に格納された受信テレビデータ９２ａを構成する映像データを復号し、映像信号として表示ドライバ２２を介して表示部２０に出力する。また、音声復号部７７は、ＲＡＭ９０に格納された受信テレビデータ９２ａを構成する音声データを復号し、音声信号として外部スピーカ５０ｂに出力する。ここで、映像データ及び音声データはＭＰＥＧ（Moving Picture Experts Group）等の何れかの公知技術で符号化されており、符号化された方式に対応する復号方式で復号する。
【００４４】
フラッシュＲＯＭ８０は、読み書き可能な不揮発性メモリであり、各種初期設定、ハードウェアの検査、あるいは必要なプログラムのロードを行うための初期プログラムを格納する。ＣＰＵ１０は、携帯電話機１の電源投入時にこの初期プログラムを実行することにより、携帯電話機１の動作環境を設定する。また、フラッシュＲＯＭ８０は、携帯電話機１の動作に係る各種機能を実現するためのデータやプログラムを格納する。
【００４５】
図４（ａ）は、フラッシュＲＯＭ８０の構成を示す図である。同図によれば、フラッシュＲＯＭ８０は、基本プログラム８２と、メール受信プログラム８４と、着呼プログラム８６と、受信ボックス８８とを格納する。
【００４６】
基本プログラム８２は、本実施形態に係る基本処理を実現するためのプログラムである。基本処理は、携帯電話機１の電源がユーザにより投入されると、ＣＰＵ１０により基本プログラム８２がフラッシュＲＯＭ８０から読み出され、ＲＡＭ９０に展開されることにより開始される。
【００４７】
メール受信プログラム８４は、携帯電話機１の割り込み処理であるメール受信処理を実現するためのプログラムである。メール受信処理は、ＲＦブロック６０によってメールデータの配信を示す信号が受信されると、ＣＰＵ１０によりメール受信プログラム８４がフラッシュＲＯＭ８０から読み出され、ＲＡＭ９０に展開されることにより開始される。
【００４８】
着呼プログラム８６は、携帯電話機１の割り込み処理である着呼処理を実現するためのプログラムである。着呼処理は、ＲＦブロック６０によって着呼を示す信号が受信されると、ＣＰＵ１０により着呼プログラム８６がフラッシュＲＯＭ８０から読み出され、ＲＡＭ９０に展開されることにより開始される。
【００４９】
受信ボックス８８は、着信メール２００を蓄積的に格納するためのデータテーブルである。着信メール２００は、受信したメールデータに開封判定フラグ２０２を付したデータである。図４（ｂ）は、着信メール２００のデータ構成の一例を示す図である。着信メール２００は、開封判定フラグ２０２、送信日時２０４、送信元アドレス２０６、件名２０８、本文２１０及び添付用ファイル２１２を含んでいる。
【００５０】
開封判定フラグ２０２は、着信メール２００が開封済みか否かを判定するためのフラグである。ＣＰＵ１０により、受信直後のメールデータには、開封判定フラグ２０２が「未開封」の状態に設定されて着信メール２００として受信ボックス８８に格納される。ユーザにより新規メールを開封するための新規メール開封操作（例えば、着信メールの一覧からの選択操作）が為されると「開封済み」の状態に開封判定フラグ２０２は設定される。送信日時２０４は、着信メール２００が送信元から送信された日時である。送信元アドレス２０６は、送信元のＥ−ｍａｉｌアドレスであり、添付用ファイル２１２は、着信メール２００に添付されたデータファイルである。
【００５１】
ＲＡＭ９０は、ＣＰＵ１０が実行する各種プログラムや、これらプログラムの実行に係るデータ等を一時的に保持するための記憶領域である。
【００５２】
図５（ａ）はＲＡＭ９０の構成を示す図である。同図によれば、ＲＡＭ９０は放送受信データ９２と、新規メール９４と、視聴中番組ＩＤ９６と、ＴＶ部一時オフフラグ９８とを格納する。
【００５３】
放送受信データ９２は、受信されたテレビ放送１００のデータであり、受信テレビデータ９２ａと受信ＥＰＧデータ９２ｂとを有して構成される。受信テレビデータ９２ａは、ＯＦＤＭ復調部７３によって復調されたテレビデータ１０２であり、テレビ放送１００の受信及びＯＦＤＭ復調部７３の復調によって随時更新される。受信ＥＰＧデータ９２ｂは、受信されたテレビ放送１００に含まれるＥＰＧデータ１０４であり、テレビ放送の受信及びＯＦＤＭ復調部７３の復調によって随時更新される。
【００５４】
図５（ｂ）は、ＥＰＧデータの内容を説明するための図である。ＥＰＧデータは、番組ＩＤ、日付、開始時刻、録画時間、チャンネル、タイトル及び内容を有する番組情報により構成される。同図は、ＥＰＧデータを構成する番組情報の一例である。同図によれば、番組ＩＤ「２０９２０４１２」、日付「８月４日」、開始時刻「１９：００」、録画時間「３０分」、チャンネル「１０ｃｈ」、タイトル「ＰＯＰ１０」、及び内容「出演者：田中次郎、斉藤花子・・・」により１つの番組情報が構成されている。
【００５５】
新規メール３００は、ユーザにより新規作成されるメールデータである。図５（ｃ）は、新規メール３００のデータ構成の一例を示す図である。同図によれば、新規メール３００は、宛先アドレス３０２と、件名３０４と、本文３０６と、添付用ファイル３０８とにより構成される。ユーザは、所定の操作により新規メール作成画面Ｗ５を表示させて、必要事項を入力して、送信スイッチ５ｈをオンすることにより新規メール３００を宛先アドレス３０２のＥ−ｍａｉｌアドレスへ送信する。
【００５６】
特に本実施形態において、新規メール３００の添付用ファイル３０８には、静止画像データが格納される。具体的には、添付画像キャプチャ選択画面Ｗ３において映像をキャプチャしてメールに添付させる指示操作がユーザにより為された場合に、受信テレビデータ９２ａの映像データから当該操作が為された時点における静止画像データが取得され（キャプチャ処理）、添付用ファイル３０８として格納される。これにより、視聴中の番組のテレビ映像の静止画像が自動で新規メール中に添付されることとなる。
【００５７】
視聴中番組ＩＤ９６は、表示部２０に表示させている番組の番組ＩＤである。ＣＰＵ１０は、受信テレビデータ９２ａから番組ＩＤを随時取得して、視聴中番組ＩＤ９６としてＲＡＭ９０に記憶させる。
【００５８】
ここで、視聴中番組ＩＤ９６は、受信ＥＰＧデータ９２ｂから表示中の番組のＥＰＧデータを取得するためのデータである。メニュ画面Ｗ１において「新規メール」が選択されると、ＣＰＵ１０は、視聴中番組ＩＤ９６と同じ番組ＩＤを含むＥＰＧデータを受信ＥＰＧデータ９２ｂから取得し、取得したＥＰＧデータからチャンネルと、タイトルと、内容とを抽出して、新規メール３００の本文３０６に記憶させる。これにより、視聴中の番組の概要が自動で新規メール中に入力されることとなる。
【００５９】
また、本実施形態において、上述した新規メール作成画面Ｗ５、添付画像キャプチャ選択画面Ｗ３及びメニュ画面Ｗ１といった各種画面は、テレビ映像に重畳させて表示される。また、表示位置は、表示部２０の右下であり、画面サイズは、表示部２０の縦横のドット数の１／２程度の画面サイズである。これにより、テレビ映像の大部分が常時表示され、テレビ鑑賞への影響が抑制される。尚、テレビ映像が十分に表示される画面サイズ及び表示位置であれば、上述した画面サイズ及び表示位置に限られるものではない。例えば、表示部２０の下方１／４の領域に各画面の一部分を表示させて、カーソルスイッチ５ｃにより当該画面をスクロールして画面内容を順次表示することとしてもよい。また、各種画面を半透明に表示することとしてもよい。
【００６０】
ＴＶ部一時オフフラグ９８は、ＴＶ部７０の電源供給を一時的にオフ（遮断）しているか否かを識別するためのフラグである。ＣＰＵ１０は、ＴＶ部７０の電源を一時的にオフにした場合に、当該フラグを一時オフ状態として設定する。
【００６１】
次に、携帯電話機１の基本処理の具体的な動作について、図６〜図１０のフローチャートを用いて詳細に説明する。
【００６２】
ユーザにより携帯電話機１の電源が投入されると、ＣＰＵ１０は、フラッシュＲＯＭ８０から基本プログラム８２を読み出し、ＲＡＭ９０に展開することで基本処理を開始する。また、基本処理は、携帯電話機１の電源が遮断されることで終了する。
【００６３】
基本処理を開始すると、ＣＰＵ１０は、携帯電話機１の各種機能の初期化処理（イニシャライズ）を行い（ステップＳ１）、表示部２０に待受画面を表示させる（ステップＳ３）。待受画面とは、携帯電話機１の着信待機時に表示部２０に表示させる予め設定された画面である。
【００６４】
そして、ユーザによりオフフックスイッチ５ｆがオン（押下）されたか否かを判別し（ステップＳ５）、オンされたと判別した場合は（ステップＳ５：Ｙｅｓ）、ユーザにより入力された電話番号を一時的に記憶し（番号入力処理）、当該電話番号へ発信する（ステップＳ７→Ｓ９）を行う。
【００６５】
そして、ＣＰＵ１０は、通信先の電話との接続が確立するまで、呼出音を電話用スピーカ５０ａから出力させて（呼出処理）待機する（ステップＳ１１）。通信先の電話との接続が確立されたことを検出すると（ステップＳ１３：Ｙｅｓ）、ＣＰＵ１０は、オンフックスイッチ５ｇがオンされるまで通話処理を行う（ステップＳ１５）。
【００６６】
オンフックスイッチ５ｇがオンされたことを検知すると（ステップＳ１７：Ｙｅｓ）、通信先の電話との接続を切断する（終話処理）（ステップＳ１９）。ステップＳ１９の処理後、又はステップＳ５においてオフフックスイッチ５ｆがオンされなかったと判別した場合は（ステップＳ５：Ｎｏ）、ＴＶスイッチ５ｂがオンされたか否かを判別する（ステップＳ２１）。
【００６７】
ＴＶスイッチ５ｂがオンされなかったと判別した場合（ステップＳ２１：Ｎｏ）、ＣＰＵ１０は、ステップＳ３へ処理を移行する。また、ＴＶスイッチ５ｂがオンされたと判別した場合は（ステップＳ２１：Ｙｅｓ）、ＴＶ部７０の電源をオン（起動）させる（ステップＳ２３）。そして、ＴＶ部７０から出力される映像データに基づいてテレビ映像を表示部２０に表示させるとともに、音声データに基づいて音声を外部スピーカ５０ｂから出力させる（ステップＳ２５）。
【００６８】
次いで、ＣＰＵ１０は、メニュスイッチ５ａがオンされたか否かを判別する（ステップＳ２７）。メニュスイッチ５ａがオンされたと判別すると（ステップＳ２７：Ｙｅｓ）、ＣＰＵ１０は、表示部２０に表示させているテレビ映像に重畳させてメニュ画面Ｗ１を表示させる（ステップＳ２９）。ＣＰＵ１０は、メニュ画面Ｗ１に表示された１つの項目を反転表示Ｍ１でフォーカス表示させた後（ステップＳ３１）、ステップＳ２５の処理へ移行する。
【００６９】
ステップＳ２７においてメニュスイッチ５ａがオンされなかったと判別すると（ステップＳ２７：Ｎｏ）、ＣＰＵ１０は、ＴＶスイッチ５ｂが再度押下（オフ）されたか否かを判別する（ステップＳ３３）。ＴＶスイッチ５ｂがオフされたと判別した場合は（ステップＳ３３：Ｙｅｓ）、ＴＶ部７０の電源をオフに切り替え（ステップＳ３５）、ステップＳ３の処理へ移行する。
【００７０】
また、ＴＶスイッチ５ｂがオフされなかったと判別した場合は（ステップＳ３３：Ｎｏ）、ＴＶ部７０によって受信されたデータ内にＥＰＧデータ１０４があるか否かを判別する（ステップＳ３７）。ＥＰＧデータ１０４があると判別した場合は（ステップＳ３７：Ｙｅｓ）、当該ＥＰＧデータ１０４を受信ＥＰＧデータ９２ｂとしてフラッシュＲＯＭ８０に記憶させた後（ステップＳ３９）、ステップＳ２５の処理へ移行する。
【００７１】
また、受信されたデータ内にＥＰＧデータ１０４がないと判別した場合は（ステップＳ３７：Ｎｏ）、表示部２０にメニュ画面Ｗ１が表示されているか否かを判別する（ステップＳ４１）。メニュ画面Ｗ１が表示されていると判別した場合（ステップＳ４１：Ｙｅｓ）、ＣＰＵ１０は、カーソルスイッチ５ｃがオンされたか否かを判別する（ステップＳ４３）。カーソルスイッチ５ｃがオンされたと判別した場合は（ステップＳ４３：Ｙｅｓ）、フォーカス位置（反転表示Ｍ１の位置）をカーソルスイッチ５ｃのオンされた方向に従って１つ移動させる（ステップＳ４５）。
【００７２】
ステップＳ４３においてカーソルスイッチ５ｃがオンされなかった場合（ステップＳ４３：Ｎｏ）、又は、ステップＳ４５の処理の後、ＣＰＵ１０は、決定スイッチ５ｄがオンされたか否かを判別する（ステップＳ４７）。
【００７３】
決定スイッチ５ｄがオンされたと判別した場合（ステップＳ４７）、ＣＰＵ１０は、フォーカス位置がメニュ画面Ｗ１の「新規メール」の位置か否かを判別し（ステップＳ４９）、「新規メール」の位置であると判別した場合は（ステップＳ４９：Ｙｅｓ）、メニュ画面Ｗ１を表示部２０から消去し（ステップＳ５１）、次いで、添付画像キャプチャ選択画面Ｗ３を表示させる（ステップＳ５３）。
【００７４】
ＣＰＵ１０は、添付画像キャプチャ選択画面Ｗ３に表示させた「はい」又は「いいえ」の何れかを選択ボタンＭ３によって強調表示し（ステップＳ５５）、ステップＳ２５の処理へ移行する。
【００７５】
ステップＳ４７において、決定スイッチ５ｄがオンされなかったと判別した場合（ステップＳ４７：Ｎｏ）、クリアスイッチ５ｅがオンされたか否かを判別する（ステップＳ５７）。クリアスイッチ５ｅがオンされたと判別した場合は（ステップＳ５７：Ｙｅｓ）、表示部２０に表示させているメニュ画面Ｗ１を表示部２０から消去した後、ステップＳ２５の処理へ移行する。また、クリアスイッチ５ｅがオンされなかったと判別した場合は（ステップＳ５７：Ｎｏ）、そのままステップＳ２５の処理へ移行する。
【００７６】
ステップＳ４９において、フォーカス位置が「新規メール」の位置ではないと判別した場合（ステップＳ４９：Ｎｏ）、フォーカス位置がその他の位置であるか否かを判別する（ステップＳ６１）。その他の位置であると判別した場合は（ステップＳ６１：Ｙｅｓ）、フォーカス位置に対応する項目の設定処理を実行した後、ステップＳ２５の処理へ移行する。また、フォーカス位置がその他の位置ではないと判別した場合は（ステップＳ６１：Ｎｏ）、そのままステップＳ２５の処理へ移行する。
【００７７】
ステップＳ４１において、メニュ画面Ｗ１が表示されていないと判別した場合（ステップＳ４１：Ｎｏ）、ＣＰＵ１０は、添付画像キャプチャ選択画面Ｗ３が表示部２０に表示されているか否かを判別する（ステップＳ６５）。
【００７８】
添付画像キャプチャ選択画面Ｗ３が表示されていたと判別した場合（ステップＳ６５：Ｎｏ）、カーソルスイッチ５ｃがオンされたか否かを判別する（ステップＳ６７）。カーソルスイッチ５ｃがオンされたと判別した場合は（ステップＳ６７：Ｙｅｓ）、添付画像キャプチャ選択画面Ｗ３に表示させている強調表示（選択ボタンＭ３）の位置を押下（オン）されたカーソルスイッチ５ｃの方向に従って１つ移動させる（ステップＳ６９）。
【００７９】
カーソルスイッチ５ｃがオンされなかったと判別した場合（ステップＳ６７：Ｎｏ）、又は、ステップＳ６９の処理の後、ＣＰＵ１０は、決定スイッチ５ｄがオンされたか否かを判別する（ステップＳ７１）。
【００８０】
決定スイッチ５ｄがオンされたと判別した場合（ステップＳ７１：Ｙｅｓ）、ＣＰＵ１０は、強調表示の位置が「はい」の位置であるか否かを判別する（ステップＳ７３）。「はい」の位置であると判別すると（ステップＳ７３：Ｙｅｓ）、画面のキャプチャ処理を行い（ステップＳ７５）、キャプチャ処理によって取得した画像を新規メール３００の添付用ファイル３０８としてＲＡＭ９０に記憶させる（ステップＳ７７）。
【００８１】
ステップＳ７３において強調表示の位置が「はい」の位置ではないと判別した場合（ステップＳ７３：Ｎｏ）、又はステップＳ７７の処理の後、ＣＰＵ１０は、添付画像キャプチャ選択画面Ｗ３を表示部２０から消去し（ステップＳ７９）、新規メール作成画面Ｗ５を表示部２０に表示させる（ステップＳ８１）。
【００８２】
そして、視聴中番組ＩＤ９６を含む番組情報を受信ＥＰＧデータ９２ｂから読み出して新規メール３００の本文３０６に記憶させ、本文入力エリアＡＲ１に入力表示させる（ステップＳ８３）。
【００８３】
次いで、新規メール３００の添付用ファイル３０８にデータがあるか否かを判別し（ステップＳ８５）、添付用ファイル３０８があると判別すると（ステップＳ８５：Ｙｅｓ）、新規メール作成画面Ｗ５にクリップの形状を模した画像を添付ファイル有りを示す識別子Ｍ５として表示させる（ステップＳ８７）。
【００８４】
ステップＳ８５において添付用ファイル３０８にデータがないと判別した場合（ステップＳ８５：Ｎｏ）、又はステップＳ８７の処理の後、ＣＰＵ１０は、宛先入力エリアＡＲ３に入力カーソルＣＲを表示させ（ステップＳ８９）、ステップＳ２５の処理へ移行する。
【００８５】
ステップＳ７１において、決定スイッチ５ｄがオンされなかったと判別した場合（ステップＳ７１：Ｎｏ）、ＣＰＵ１０は、クリアスイッチ５ｅがオンされたか否かを判別する（ステップＳ９１）。クリアスイッチ５ｅがオンされなかったと判別した場合は（ステップＳ９１：Ｎｏ）、ステップＳ２５の処理へ移行する。
【００８６】
クリアスイッチ５ｅがオンされたと判別した場合（ステップＳ９１：Ｙｅｓ）、ＣＰＵ１０は、添付画像キャプチャ選択画面Ｗ３を表示部２０から消去し、メニュ画面Ｗ１を表示させる（ステップＳ９３→Ｓ９５）。そして、メニュ画面Ｗ１に表示させた１つの項目をフォーカス表示して（ステップＳ９７）、ステップＳ２５の処理へ移行する。
【００８７】
ステップＳ６５において、添付画像キャプチャ選択画面Ｗ３が表示されていないと判別した場合（ステップＳ６５：Ｎｏ）、ＣＰＵ１０は、新規メール作成画面Ｗ５が表示部２０に表示されているか否かを判別し（ステップＳ９９）、表示されていないと判別した場合は（ステップＳ９９：Ｎｏ）、ステップＳ２５の処理へ移行する。
【００８８】
新規メール作成画面Ｗ５が表示されていると判別した場合は（ステップＳ９９：Ｙｅｓ）、カーソルスイッチ５ｃがオンされたか否かを判別する（ステップＳ１０１）。カーソルスイッチ５ｃがオンされたと判別した場合（ステップＳ１０１：Ｙｅｓ）、ＣＰＵ１０は、入力カーソルＣＲをオンされたカーソルスイッチ５ｃの方向に従って移動させる（ステップＳ１０３）。カーソルスイッチ５ｃがオンされなかったと判別した場合（ステップＳ１０１：Ｎｏ）、又はステップＳ１０３の処理の後、ＣＰＵ１０は、ユーザによりデータ入力が為された否かを判別する（ステップＳ１０５）。
【００８９】
データ入力が為されたと判別した場合は（ステップＳ１０５：Ｙｅｓ）、入力カーソルＣＲのあるエリアに入力されたデータを表示して（ステップＳ１０７）、ステップＳ２５の処理へ移行する。
【００９０】
ステップＳ１０５においてデータ入力が為されなかったと判別した場合（ステップＳ１０５：Ｎｏ）、ＣＰＵ１０は、クリアスイッチ５ｅがオンされたか否かを判別する（ステップＳ１０９）。クリアスイッチ５ｅがオンされたと判別した場合は（ステップＳ１０９：Ｙｅｓ）、新規メール作成画面Ｗ５を表示部２０から消去し（ステップＳ１１１）、メニュ画面Ｗ１を表示させた後（ステップＳ１１３）、ステップＳ２５の処理へ移行する。
【００９１】
ステップＳ１０９においてクリアスイッチ５ｅがオンされなかったと判別した場合（ステップＳ１０９：Ｎｏ）、ＣＰＵ１０は、送信スイッチ５ｈがオンされたか否かを判別する（ステップＳ１１５）。送信スイッチ５ｈがオンされたと判別した場合は（ステップＳ１１５：Ｙｅｓ）、新規メール３００を宛先アドレス３０２のＥ−ｍａｉｌアドレスへ送信する（ステップＳ１１７）。ステップＳ１１５において送信スイッチ５ｈがオンされなかったと判別した場合（ステップＳ１１５：Ｎｏ）、又はステップＳ１１７の処理後、ＣＰＵ１０は、ステップＳ１１１の処理へ移行する。
【００９２】
次に、携帯電話機１のメール受信処理の具体的な動作について、図１１のフローチャートを用いて説明する。
【００９３】
ＣＰＵ１０は、無線基地局から送信される配信を示す信号が受信されると、フラッシュＲＯＭ８０からメール受信プログラム８４を読み出して、ＲＡＭ９０に展開することでメール受信処理を開始する。
【００９４】
メール受信処理を開始すると、ＣＰＵ１０は、ＴＶ部７０の電源がオン中であるか否かを判別し（ステップＳ２００）、ＴＶ部がオン中であると判別すると（ステップＳ２００：Ｙｅｓ）、ＴＶ部７０の電源を一時的にオフにする（ステップＳ２０２）。このとき、ＣＰＵ１０は、ＴＶ部一時オフフラグ９８を一時オフ状態に設定する。
【００９５】
ステップＳ２００においてＴＶ部７０の電源がオン中でないと判別した場合（ステップＳ２００：Ｎｏ）、又はステップＳ２０２の処理の後、ＣＰＵ１０は、メールが着信したことをユーザに知らせるメール着信画面を表示部２０に表示させ、受信したメールデータを着信メール２００として受信ボックス８８に蓄積的に記憶させる（ステップＳ２０４→Ｓ２０６）。
【００９６】
そして、一定時間（例えば、３秒）、メールが着信したことを知らせるための報知音を外部スピーカ５０ｂから出力させた後（ステップＳ２０８）、ユーザにより新規メール開封操作が為されたか否かを判別する（ステップＳ２１０）。
【００９７】
新規メール開封操作が為されたと判別した場合は（ステップＳ２１０：Ｙｅｓ）、開封判定フラグ２０２により「未開封」であると判定した着信メール２００を開封して表示させる（新規メール開封画面の表示）（ステップＳ２１２）。
【００９８】
ステップＳ２１０において新規メール開封操作が為されなかったと判別した場合（ステップＳ２１０：Ｎｏ）、又はステップＳ２１２の処理後、ＣＰＵ１０は、クリアスイッチ５ｅがオンされるまで待機する（ステップＳ２１４）。クリアスイッチ５ｅがオンされたことを検知すると（ステップＳ２１４：Ｙｅｓ）、ＴＶ部７０が一時的にオフ中であるか否かをＴＶ部一時オフフラグ９８によって判別する（ステップＳ２１６）。
【００９９】
ＴＶ部一時オフフラグ９８が一時オフ状態である場合（ステップＳ２１６：Ｙｅｓ）、ＣＰＵ１０は、ＴＶ部７０の電源をオンにして（ステップＳ２１８）メール受信処理を終了する。また、ＴＶ部一時オフフラグ９８が一時オフ状態でない場合は（ステップＳ２１６：Ｎｏ）、そのままメール受信処理を終了する。
【０１００】
次に、携帯電話機１の着呼処理の具体的な動作について、図１２のフローチャートを用いて説明する。
【０１０１】
ＣＰＵ１０は、着呼を示す信号を受信すると、着呼プログラム８６をフラッシュＲＯＭ８０から読み出して、ＲＡＭ９０に展開することで着呼処理を開始する。
【０１０２】
着呼処理を開始すると、ＣＰＵ１０は、ＴＶ部７０の電源がオン中であるか否かを判別し（ステップＳ３００）、オン中であると判別した場合は（ステップＳ３００：Ｎｏ）、ＴＶ部７０の電源を一時的にオフにする（ステップＳ３０２）。
【０１０３】
ステップＳ３００においてＴＶ部７０の電源がオン中ではないと判別した場合（ステップＳ３００：Ｎｏ）、又はステップＳ３０２の処理の後、ＣＰＵ１０は、着信を検知したことをユーザに知らせる着信画面を表示部２０に表示させた後（ステップＳ３０４）、オフフックスイッチ５ｆがオンされるまで、着信音を外部スピーカ５０ｂから出力させて（着信報知）（ステップＳ３０６）、待機する。
【０１０４】
オフフックスイッチ５ｆがオンされたことを検知すると（ステップＳ３０８：Ｙｅｓ）、ＣＰＵ１０は、オンフックスイッチ５ｇがオンされるまで通話処理を行う（ステップＳ３１０）。
【０１０５】
ＣＰＵ１０は、オンフックスイッチ５ｇがオンされたことを検知すると（ステップＳ３１２：Ｙｅｓ）、終話処理を行い、ＴＶ部７０が一時的にオフ状態であるか否かをＴＶ部一時オフフラグ９８によって判別する（ステップＳ３１４→Ｓ３１６）。
【０１０６】
ＴＶ部７０が一時的オフ状態であると判別した場合（ステップＳ３１６：Ｙｅｓ）、ＣＰＵ１０は、ＴＶ部７０の電源をオンにして（ステップＳ３１８）、着呼処理を終了する。また、ＴＶ部７０が一時的オフ状態ではないと判別した場合は（ステップＳ３１６：Ｎｏ）、そのまま着呼処理を終了する。
【０１０７】
図１３及び１４は、携帯電話機１の具体的な表示画面の画面遷移の一例を示す図である。以下、ユーザの操作例と合わせて説明する。
【０１０８】
先ず、ユーザは、携帯電話機１の電源を入れて、ＴＶスイッチ５ｂをオンすると、表示部２０には番組「ＰＯＰ１０」のテレビ映像ＩＭＧが表示される（図１３（ａ））（図７のステップＳ２１→Ｓ２３〜Ｓ２５に相当）。
【０１０９】
そして、メニュスイッチ５ａをオンすると、メニュ画面Ｗ１がテレビ映像ＩＭＧ上に表示される（図１３（ｂ））（図７のステップＳ２７→Ｓ２９に相当）。
【０１１０】
ユーザは、カーソルスイッチ５ｃによって反転表示Ｍ１を移動させて「新規メール」を選択し、決定スイッチ５ｄをオンすると、添付画像キャプチャ選択画面Ｗ３が表示される（図１３（ｃ））（図８のステップＳ４７→Ｓ４９→Ｓ５１→Ｓ５３に相当）。
【０１１１】
そして、選択ボタンＭ３をカーソルスイッチ５ｃによって移動させて、「いいえ」を選択した状態で決定スイッチ５ｄをオンすると、新規メール作成画面Ｗ５が表示される（図９のステップＳ６５→Ｓ６７〜Ｓ７１→Ｓ７３→Ｓ７９に相当）。
【０１１２】
この新規メール作成画面Ｗ５の本文入力エリアＡＲ１には、表示中の番組の番組情報ＣＴが表示されるとともに、宛先入力エリアＡＲ３には入力カーソルＣＲが表示されている（図１４（ａ））（図９のステップＳ８１〜Ｓ８５→Ｓ８９に相当）。
【０１１３】
このとき、図１３及び１４において表示中のテレビ映像ＩＭＧの番組ＩＤは、「２０９２０４１２」である。ＣＰＵ１０により、当該番組ＩＤと同じ番組ＩＤの番組情報が受信ＥＰＧデータ９２ｂから読み出される。本実施形態においては、図５（ｂ）の番組情報が読み出され、当該番組情報のチャンネル、タイトル及び内容が、新規メール作成画面Ｗ５の本文入力エリアＡＲ１に表示されることとなる。
【０１１４】
図１３（ｃ）において、ユーザが「はい」を選択した状態で決定スイッチ５ｄをオンすると、新規メール作成画面Ｗ５には、クリップ状の添付ファイル有りの識別子Ｍ５が表示される。当該識別子Ｍ５は、表示中のテレビ映像ＩＭＧの画面がキャプチャされ、テレビ映像ＩＭＧの静止画像が新規メール３００の添付用ファイル３０８として保存されたことを表している（図１４（ｂ））（図９のステップＳ７３→Ｓ７５〜Ｓ８５→Ｓ８７に相当）。
【０１１５】
ユーザは、新規メール作成画面Ｗ５において、宛先及び件名を入力し、送信スイッチ５ｈをオンすると、作成したメールが宛先のＥ−ｍａｉｌアドレスに送信される。
【０１１６】
以上、本実施形態によれば、地上波デジタル放送の映像の表示中に、ユーザにより新規メールを作成するための操作が為されると、表示中の番組の番組ＩＤに基づいて、当該番組の番組情報をＥＰＧデータから取得し、取得した番組情報を新規メール３００の本文３０６に格納させる。このとき、テレビ映像を十分に表示させる表示位置及び画面サイズでメニュ画面Ｗ１を表示させる。これにより、ユーザは、テレビの視聴中に、その視聴を一時的に中断せずに、視聴中の番組の番組情報を簡単な操作によって迅速にメール送信することができる。
【０１１７】
また、ユーザにより画面をキャプチャするための操作が行われると、放送中の番組のテレビ映像の静止画像をキャプチャし、新規メール３００の添付用ファイル３０８として記憶させる。これにより、ユーザは、視聴中の番組の静止画像を番組情報に付加したメールを作成・送信することができる。
【０１１８】
尚、本実施形態において、携帯電話機を適用例として説明したが、本発明の適用可能なものはこれに限られたものではなく、適宜変更可能である。例えば、地上波デジタル放送を受信可能で、メール送信可能な据え置き型テレビ、パソコン、カーナビゲーション装置、ＰＤＡ（Personal Digital Assistant）等の電子機器全般に適用可能である。
【０１１９】
また、本実施形態において、取得したＥＰＧデータやキャプチャした静止画像を電子メールにて送信することとして説明したが、例えば、ファクシミリによって送信することしてもよい。具体的には、ファクシミリ通信規格に基づく画像化データの送信が可能なファクシミリ送信部を備えて構成する。ファクシミリ送信部においては、取得したＥＰＧデータと静止画像とをファクシミリ通信規格に基づくデータ形式に変換し、公衆回線網を介して、他のファクシミリ装置に送信する。これにより、本実施形態と同様に、テレビ鑑賞に支障をきたすことなく、表示中の番組の番組情報や静止画像を送信することが可能となる。
【０１２０】
また、添付用ファイル３０８に格納する静止画像を、動画としてもよい。この場合、受信テレビデータ９２ａは、所定時間（例えば、５秒）のテレビデータ１０２を格納することとする。ユーザにより所定の操作が為された場合に、当該操作の映像データと音声データとを受信テレビデータ９２ａから読み出し、添付用ファイル３０８として格納し、メール送信する。これより、表示中の番組の動画を送信することができる。
【０１２１】
また、地上波デジタル放送から抽出するデータをＥＰＧデータとして説明したが、地上波デジタル放送に含まれて放送されているデータ放送を抽出することとしてもよい。当該データ放送は、地上波デジタル放送の各チャンネルに対応した文字データ及び画像データであり、いわゆる番組連動型データ放送サービスによる放送である。表示中のチャンネルに対応するデータを地上波デジタル放送のデータ放送の中から抽出して、本実施形態と同様に新規メールを作成する。データ放送は各チャンネルの番組に連動した内容で常時放送されている。例えば、野球中継の番組であれば、出場選手の個人データや試合の進行状況等がデータ放送にて放送される。従って、定期的に放送されているＥＰＧデータよりも、現時点の放送の内容に密接な内容の情報をメール等で送信することができる。
【０１２２】
また、受信する放送を地上波デジタル放送として説明したが、衛星デジタル放送を受信することとしても、同様の効果が得られることは無論である。
【図面の簡単な説明】
【０１２３】
【図１】実施形態の概要を示す図。
【図２】携帯電話機の外観図。
【図３】携帯電話機の機能構成の一例を示すブロック図。
【図４】（ａ）はフラッシュＲＯＭの構成を示す図、（ｂ）は着信メールのデータ構成を示す図。
【図５】（ａ）はＲＡＭの構成を示す図、（ｂ）はＥＰＧデータの内容を説明するための図、（ｃ）は新規メールのデータ構成を示す図。
【図６】基本処理を説明するための第１のフローチャート。
【図７】基本処理を説明するための第２のフローチャート。
【図８】基本処理を説明するための第３のフローチャート。
【図９】基本処理を説明するための第４のフローチャート。
【図１０】基本処理を説明するための第５のフローチャート。
【図１１】メール受信処理を説明するためのフローチャート。
【図１２】着呼処理を説明するためのフローチャート。
【図１３】表示画面の画面遷移の一例を第１の示す図。
【図１４】表示画面の画面遷移の一例を第２の示す図。
【符号の説明】
【０１２４】
１     携帯電話機
３     ディスプレイ
５     入力スイッチ群
２０   表示部
２２   表示ドライバ
３０   入力部
４０   マイク
５０   スピーカ
５０ａ 電話用スピーカ
５０ｂ 外部スピーカ
６０   ＲＦブロック
６２   通信用アンテナ
７０   ＴＶ部
７１   ＴＶチューナ部
７３   復調部
７５   映像復号部
７７   音声復号部
７９   ＴＶ用アンテナ
８０   フラッシュＲＯＭ
８２   基本プログラム
８４   メール受信プログラム
８６   着呼プログラム
８８   受信ボックス
９０   ＲＡＭ
９２   放送受信データ
９４   新規メール
９６   視聴中番組ＩＤ
９８   ＴＶ部一時オフフラグ
１００ 地上波デジタル放送
１０２ テレビデータ
１０４ ＥＰＧデータ
ＢＣ   放送局
【図１】
2005184613.tif 000003
【図２】
2005184613.tif 000004
【図３】
2005184613.tif 000005
【図４】
2005184613.tif 000006
【図５】
2005184613.tif 000007
【図６】
2005184613.tif 000008
【図７】
2005184613.tif 000009
【図８】
2005184613.tif 000010
【図９】
2005184613.tif 000011
【図１０】
2005184613.tif 000012
【図１１】
2005184613.tif 000013
【図１２】
2005184613.tif 000014
【図１３】
2005184613.tif 000015
【図１４】
2005184613.tif 000016